(57)【特許請求の範囲】
【請求項１】
電池収納部と、
前記電池収納部に軸支され、前記電池収納部を閉鎖する状態にて、前記電池収納部に対してスライド可能な電池蓋と、
一方端が前記電池蓋に係止され、前記電池蓋を開放する方向に付勢するバネ部材と、
前記電池蓋の回動中心近傍の空間に取り付けられる三脚ネジ部材と、を有し、
前記三脚ネジ部材を前記空間に取り付ける前に、前記電池蓋が前記電池収納部を閉鎖し、前記電池蓋を前記電池収納部に対してスライドさせることで、前記電池蓋の端部が前記バネ部材の他方端を押圧し、
前記三脚ネジ部材を前記空間に取り付ける際の前記三脚ネジ部材の軌跡内に、前記バネ部材の他方端を位置させ、
前記三脚ネジ部材を前記空間に取り付けた後、前記他方端が前記三脚ネジ部材の側面に当接することで、前記バネ部材は前記三脚ネジ部材の取り付け方向とは異なる方向に前記三脚ネジ部材を付勢することを特徴とする電子機器。
【請求項２】
前記バネ部材および前記三脚ネジ部材はともに導電性を有する金属材料で形成され、前記三脚ネジ部材が前記空間に取り付けられることで、前記バネ部材および前記三脚ネジ部材は前記電子機器のグランド電位となるシャーシ部材と電気的に接続されることを特徴とする請求項１に記載の電子機器。
【発明の詳細な説明】
【技術分野】
【０００１】
本発明は電子機器に関し、特に電池収納部に対して回動することで開閉可能な電池蓋を有する電子機器に関するものである。
【背景技術】
【０００２】
例えばカセットテープレコーダーのカセット装着部を開閉する蓋や、ＣＤ（コンパクトディスク）プレーヤーのＣＤ装着部を開閉する蓋は、バネによって開き方向への力を付与されている。
【０００３】
そして、このようなは蓋体を有する機器において、蓋体の開き用のバネを簡単かつ確実に装着するための機構が提案されている。（特許文献１参照）
【先行技術文献】
【特許文献】
【０００４】
【特許文献１】特開平８−３０７０７４号公報
【発明の概要】
【発明が解決しようとする課題】
【０００５】
電池収納部に対して回動することで開閉可能な電池蓋についても、バネによって電池蓋を開放する方向に付勢されている。このような電池蓋を電池収納部に組み付ける際には、バネをチャージした状態で電池蓋を電池収納部に取り付けなければならず、組立作業性が悪いという課題があった。
【０００６】
このような課題に対して、上述した従来技術は、機器本体側に、バネの一端側の腕部５Ａを仮止めしておくためのフック状の仮止め突起を設けるとともに、蓋体側に、蓋体を閉じることによってバネの腕部を押圧して仮止め突起から外す押圧突起を設けている。
【０００７】
このような構成では、機器本体側に仮止め突起を設け、蓋体側に押圧突起を形成しなければならない。しかしながら、小型化が要求される電子機器では、このような突起を形成するスペースを確保することが困難となっている。
【０００８】
このような課題を勘案して、本発明の目的は、従来技術にあるような突起を形成することなく、バネがチャージされていない自由状態で電池蓋を電池収納部に取り付けることを可能にするものである。
【課題を解決するための手段】
【０００９】
上記目的を達成するために、本発明の電子機器は、電池収納部と、前記電池収納部に軸支され、前記電池収納部を閉鎖する状態にて、前記電池収納部に対してスライド可能な電池蓋と、一方端が前記電池蓋に係止され、前記電池蓋を開放する方向に付勢するバネ部材と、前記電池蓋の回動中心近傍の空間に取り付けられる三脚ネジ部材と、を有し、前記三脚ネジ部材を前記空間に取り付ける前に、前記電池蓋が前記電池収納部を閉鎖し、前記電池蓋を前記電池収納部に対してスライドさせることで、前記電池蓋の端部が前記バネ部材の他方端を押圧し、前記三脚ネジ部材を前記空間に取り付ける際の前記三脚ネジ部材の軌跡内に、前記バネ部材の他方端を位置させ、前記三脚ネジ部材を前記空間に取り付けた後、前記他方端が前記三脚ネジ部材の側面に当接することで、前記バネ部材は前記三脚ネジ部材の取り付け方向とは異なる方向に前記三脚ネジ部材を付勢することを特徴とする。
【発明の効果】
【００１０】
本発明によれば、電池収納部および電池蓋に特別な構造物を形成することなく、バネがチャージされていない自然状態で電池蓋を電池収納部に取り付けることが可能になる。したがって、電子機器の小型化を妨げることなく、電池蓋を電池収納部に組み付ける際の組立作業性を向上させることができる。
【図面の簡単な説明】
【００１１】
【図１】本発明を実施した電子機器の一例であるデジタルカメラ１の外観を説明する斜視図である。
【図２】本発明を実施した電子機器の一例であるデジタルカメラ１の分解斜視図である。
【図３】デジタルカメラ１の一部である本体ユニットＨの分解斜視図である。
【図４】電池蓋ユニット７の分解斜視図である。
【図５】シャーシユニット１３の分解斜視図である。
【図６】シャーシユニット１３に電池蓋ユニット７および三脚ネジ部材１２を取り付ける手順を説明する図である。
【発明を実施するための形態】
【００１２】
〔実施例１〕
図１は、本発明を実施した電子機器の一例であるデジタルカメラ１の外観を説明する斜視図である。
【００１３】
図１（Ａ）は正面および上面の斜視図であり、図１（Ｂ）は正面および下面の斜視図である。デジタルカメラ１は、フロントカバー２、リアカバー３、トップカバー４、ボトムカバー５、サイドカバー６、電池蓋ユニット７、ジャックカバー８、及びストラップ取付部材９で構成されている。
【００１４】
図１（Ｃ）および（Ｄ）は電池蓋ユニット７を開く様子を示す図である。電池蓋ユニット７は、図１（Ｂ）に示す閉じ位置では電池蓋２１の内側に形成されるロック爪と電池収納部１１とが係合して閉鎖状態を維持する。しかし図１（Ｃ）に示す様に、電池蓋ユニット７を左へスライドさせるとロック爪と電池収納部１１との係合が解除され、バネ力によって、図１（Ｄ）に示す様に９０度ほど回動して開放位置になる。したがって、電池蓋ユニット７は、電池収納部１１に対してスライドすることでロック状態とロック解除状態になり、ロック解除状態では回動することで電池収納部１１を開閉可能となる。
【００１５】
図２はデジタルカメラ１からフロントカバー２、リアカバー３、トップカバー４、ボトムカバー５、サイドカバー６、ジャックカバー８、及びストラップ取付部材９を取り外した状態を示す分解斜視図である。図２に示す状態では、電池蓋ユニット７は本体ユニットＨに取り付けられている。
【００１６】
図３は、本体ユニットＨをさらに分解した斜視図である。シャーシ部材としてのシャーシ１０に電池収納部１１、電池蓋ユニット７、三脚ネジ部材１２を結合してシャーシユニット１３を形成している。そして、シャーシユニット１３に、デジタルカメラの前面側からレンズユニット１４、ストロボユニット１５、メイン基板１６、放熱板１７を取付ける。一方、デジタルカメラの背面側から、シャーシユニット１３に液晶ユニット１８と操作部材１９を取り付ける。さらに、デジタルカメラの上面側からフレキシブル配線板２０を取付けている。
【００１７】
図４（Ａ）は電池蓋ユニット７の斜視図であり、図４（Ｂ）は電池蓋ユニット７の分解斜視図である。
【００１８】
電池蓋ユニット７は、金属材料で形成された回動板金２２を、樹脂材料で形成された電池蓋２１と金属材料で形成された固定板２３で挟む構成となっている。
【００１９】
図４（Ｂ）に示すように、電池蓋２１には、取付けダボ２１ａ、２１ｂとクリック溝２１ｃが形成されている。回動板金２２には、長穴２２ａ、板バネ部２２ｂ、貫通穴２２ｃおよび２２ｄが形成されている。固定板２３には、ビス穴２３ａおよび２３ｂが形成されている。
【００２０】
取付けダボ２１ａが長穴２２ａの中に位置するように、回動板金２２を電池蓋２１の上に配置し、回動板金２２の上に固定板２３を重ねて配置する。ビス２４はビス穴２３ａを貫通して、取付けダボ２１ａに螺合する。ビス２５はビス穴２３ｂを貫通して、取付けダボ２１ｂに螺合する。取付けダボ２１ａは長穴２２ａの中に位置し、取付けダボ２１ｂは回動板金２２の外側に位置しているので、電池蓋２１および固定板２３は回動板金２２に対して、スライドすることができる。電池蓋２１および固定板２３がスライドすることによって、電池蓋ユニット７は電池収納部１１に対してロックされる状態とロックが解除される状態とに切り換わる。
【００２１】
回動板金２２に対して電池蓋２１および固定板２３をスライドさせると、回動板金２２の板バネ部２２ｂがクリック溝２１ｃの上を摺動し、電池蓋ユニット７が電池収納部１１に対してロックされる位置およびロックが解除される位置にてクリック力が発生する。
【００２２】
回動板金２２の貫通穴２２ｃおよび２２ｄには、電池蓋ユニット７が電池収納部１１に対して回動する際の回動軸となるシャフト２７を挿通される。
【００２３】
図５はシャーシユニット１３の分解斜視図で、シャーシ１０に電池収納部１１を取付けた状態を示している。シャーシ１０は導電性を有する金属材料で形成され、デジタルカメラ１の強度を確保する部材として機能する。また、シャーシ１０は、レンズユニット１４、ストロボユニット１５、メイン基板１６およびフレキシブル配線板２０のグランド電位となるグランドパターンが電気的に接続される。一方、電池収納部１１は電池端子等を配設するため絶縁性を有する樹脂材料で形成している。
【００２４】
電池収納部１１には軸受部１１ａおよび１１ｂが形成され、軸受部１１ａおよび１１ｂに回動板金２２の貫通穴２２ｃおよび２２ｄを配置して、シャフト２７を挿通する。このとき、バネ部材としての蓋バネ２６が貫通穴２２ｃと２２ｄとの間に配置された状態で、シャフト２７が貫通穴２２ｃと２２ｄに挿通される。したがって、シャフト２７は貫通穴２２ｃおよび２２ｄ、蓋バネ２６の巻線部２６ａを挿通して、軸受部１１ａおよび１１ｂに軸受される状態となる。なお、蓋バネ２６は導電性を有する金属材料で形成され、蓋バネ２６の一方端２６ｂは電池蓋２１と回動板金２２との間に挿入される。したがって、蓋バネ２６の一方端２６ｂは電池蓋ユニット７に係止される。
【００２５】
このように、電池蓋ユニット７が電池収納部１１に取り付けられた後、導電性を有する金属材料で形成される三脚ネジ部材１２がシャーシユニット１３に取り付けられる。三脚ネジ部材１２が取り付けられる空間Ｓは、電池収納部１１の軸受部１１ａおよび１１ｂの近傍に形成されている。
【００２６】
図６（Ａ）〜（Ｆ）を用いて、シャーシユニット１３に電池蓋ユニット７および三脚ネジ部材１２を取り付ける手順を説明する。
【００２７】
図６（Ａ）は、電池収納部１１に電池蓋ユニット７を取り付けた状態を説明する図である。
【００２８】
まず、回動板金２２に対して電池蓋２１および固定板２３をスライドさせて、電池蓋ユニット７が電池収納部１１に対してロックされないロック解除状態とする。次に、蓋バネ２６の一方端２６ｂを電池蓋２１と回動板金２２との間に挿入するとともに、蓋バネ２６の巻線部２６ａを貫通穴２２ｃと２２ｄとの間に配置する。そして、軸受部１１ａおよび１１ｂに回動板金２２の貫通穴２２ｃおよび２２ｄを位置合わせした状態で、シャフト２７を軸受部１１ａおよび１１ｂに挿通する。これによって、図６（Ａ）に示すように、シャフト２７は貫通穴２２ｃおよび２２ｄ、蓋バネ２６の巻線部２６ａを挿通して、軸受部１１ａおよび１１ｂに軸受される。
【００２９】
このとき、シャーシユニット１３に三脚ネジ部材１２が取り付けられていないので、電池蓋ユニット７の回動範囲は、シャーシユニット１３に三脚ネジ部材１２を取り付けた状態よりも大きくなる。また、電池蓋ユニット７を全開状態としても、蓋バネ２６の他方端２６ｃは三脚ネジ部材１２が取り付けられる空間Ｓ内でチャージされない状態となる。したがって、蓋バネ２６がチャージされない自然状態で電池蓋ユニット７を電池収納部１１に取り付けることができる。
【００３０】
図６（Ａ）に示す状態は、電池蓋ユニット７が電池収納部１１を開放する状態であって、三脚ネジ部材１２が空間Ｓに取り付けられていない状態となる。この状態にて、蓋バネ２６の他方端２６ｃはチャージされない状態となる。
【００３１】
蓋バネ２６をチャージしながら電池蓋ユニット７を電池収納部１１に取り付ける場合には、組立中に蓋バネ２６の復元力で蓋バネ２６を紛失してしまうことがあった。しかし、本実施例は蓋バネ２６をチャージしていない自然状態で電池蓋ユニット７を電池収納部１１に取り付けることができるので、蓋バネ２６を紛失してしまうことがなく、組立作業性も向上する。
【００３２】
図６（Ｂ）は、図６（Ａ）に示すように、電池収納部１１を開放する状態から電池収納部１１を閉鎖する位置まで電池蓋ユニット７を時計回りに回動させた状態を示している。電池蓋ユニット７を時計回りに回動させることで、蓋バネ２６の他方端２６ｃは図６（Ｂ）に示すように、電池蓋ユニット７の下方に突出した状態となる。
【００３３】
図６（Ｂ）の状態から電池蓋ユニット７を図中の右方向にスライドさせると、図６（Ｃ）に示すように、電池蓋ユニット７が電池収納部１１に対してロックされるロック状態となる。このとき、電池蓋２１の端部が蓋バネ２６の他方端２６ｃを押す。これによって、蓋バネ２６の他方端２６ｃは図６（Ｂ）の状態よりも反時計方向に回転して、三脚ネジ部材１２を空間Ｓに取り付ける際の三脚ネジ部材１２の軌跡内に入る。これによって、蓋バネ２６はわずかにチャージされる。
【００３４】
図６（Ｃ）に示す状態は、電池蓋ユニット７が電池収納部１１を閉鎖する状態であって、三脚ネジ部材１２が空間Ｓに取り付けられていない状態となる。この状態にて、蓋バネ２６の他方端２６ｃは、三脚ネジ部材１２を空間Ｓに取り付ける際の三脚ネジ部材１２の軌跡内に位置する。
【００３５】
図６（Ｃ）に示す状態で、三脚ネジ部材１２を矢印Ａに移動させて、空間Ｓに三脚ネジ部材１２を取り付ける。このとき、蓋バネ２６の他方端２６ｃは三脚ネジ部材１２を空間Ｓに取り付ける際の三脚ネジ部材１２の軌跡内に位置しているので、三脚ネジ部材１２を空間Ｓに取り付けることで、蓋バネ２６の他方端２６ｃはチャージされながら空間Ｓ内に押し込まれる。
【００３６】
図６（Ｄ）は、蓋バネ２６の他方端２６ｃをチャージしながら三脚ネジ部材１２を空間Ｓに取り付けた状態を示している。この状態では、蓋バネ２６の他方端２６ｃが三脚ネジ部材１２の側面に当接し、蓋バネ２６が三脚ネジ部材１２を、三脚ネジ部材１２の取り付け方向とは異なる方向に付勢している。すなわち、蓋バネ２６は、三脚ネジ部材１２を図中の右方向に押している。この状態の後、三脚ネジ部材１２はビス２８でシャーシ１０に固定されるが、蓋バネ２６の付勢力によって、ビス２８で三脚ネジ部材１２をシャーシ１０に固定されるまでの間、三脚ネジ部材１２を空間Ｓに仮保持することができる。したがって、本実施例では、三脚ネジ部材１２を空間Ｓに取り付けてから、ビス２８で三脚ネジ部材１２をシャーシ１０に固定されるまでの間、三脚ネジ部材１２を空間Ｓに押さえておく必要がなく、組立作業性が向上する。
【００３７】
図６（Ｅ）は、三脚ネジ部材１２を空間Ｓに取り付け、シャーシユニット１３に固定した後、電池蓋ユニット７を図中の左方向にスライドさせて、電池蓋ユニット７と電池収納部１１とのロックを解除した状態である。この状態で、電池蓋ユニット７は蓋バネ２６の付勢力によって開放され、図６（Ｆ）に示す状態となる。図６（Ｆ）は、電池蓋ユニット７が開放された状態を示している。空間Ｓに三脚ネジ部材１２が取り付けられることで、電池蓋ユニット７の回動範囲は図６（Ａ）よりも小さくなる。
【００３８】
三脚ネジ部材１２を空間Ｓに取り付けて、シャーシ１０に固定することで、導電性を有する三脚ネジ部材１２はグランド電位となるシャーシ１０と電気的に接続された状態となる。さらに、三脚ネジ部材１２が空間Ｓに取り付けられた後、三脚ネジ部材１２と蓋バネ２６の他方端２６ｃとは常に所定の接触圧を持って接触する。したがって、導電性を有する蓋バネ２６も三脚ネジ部材１２を介して、グランド電位となるシャーシ１０と電気的に接続された状態となる。したがって、三脚ネジ部材１２および蓋バネ２６が浮遊金属となることがなく、デジタルカメラ１の耐静電気特性を高めることができるという効果も得られる。
【００３９】
本実施例では、蓋バネ２６の一方端２６ｂは電池蓋２１と回動板金２２との間に挿入した後、蓋バネ２６の巻線部２６ａを回動板金２２の貫通穴２２ｃおよび２２ｄを配置して、シャフト２７を挿通している。しかし、蓋バネ２６の一方端２６ｂは電池蓋２１と回動板金２２との間に挿入することなく、蓋バネ２６の巻線部２６ａを回動板金２２の貫通穴２２ｃおよび２２ｄを配置して、シャフト２７を挿通してもよい。
【００４０】
この場合には、電池蓋ユニット７を図６（Ａ）に示す状態まで回動させたときに、蓋バネ２６の一方端２６ｂを電池蓋２１と回動板金２２との間に挿入することができるように、一方端２６ｂの長さを決める。それと同時に、電池蓋ユニット７を図６（Ｆ）に示す状態まで回動させたときには、蓋バネ２６の一方端２６ｂが電池蓋２１と回動板金２２との間から抜けないように、一方端２６ｂの長さを決める。蓋バネ２６の一方端２６ｂの長さがこれらの条件を満たすようにすれば、蓋バネ２６の巻線部２６ａにシャフト２７を挿通しした後、蓋バネ２６の一方端２６ｂは電池蓋２１と回動板金２２との間に挿入することができる。そして、三脚ネジ部材１２を空間Ｓに取り付けた後は、蓋バネ２６の一方端２６ｂが電池蓋２１と回動板金２２との間から抜けることはない。
【００４１】
このように構成することで、シャフト２７を挿通する際に、蓋バネ２６の一方端２６ｂを電池蓋２１と回動板金２２との間に挿入する必要がなく、組立効率を向上させることができる。
【符号の説明】
【００４２】
１  デジタルカメラ
７  電池蓋ユニット
１０  シャーシ
１１  電池収納部
１２  三脚ネジ部材
１３  シャーシユニット
２６  蓋バネ
【図１】
0005570286.tif 000002
【図２】
0005570286.tif 000003
【図３】
0005570286.tif 000004
【図４】
0005570286.tif 000005
【図５】
0005570286.tif 000006
【図６】
0005570286.tif 000007